(57)【要約】【課題】ペルチェ素子ユニットからの熱を排出口から逃がすための経路内に空気が籠もりにくい収納装置を提供する。【解決手段】収納装置１は、収納室と、ペルチェ素子ユニットと、ペルチェ素子ユニットにより空調された風を収納室内に供給するようにアレンジされた第１の経路と、断熱部材を介して第１の経路とは隔ててアレンジされ、ペルチェ素子ユニットからの熱を排出口から逃がすための第２の経路１５とを含む。第２の経路１５は、断面が扁平である。収納装置１は、さらに、第２の経路１５に露出する壁部５３ａに向かって垂直な方向に送風するファンユニット６１と、ファンユニット６１からの送風のうち、壁部５３ａに当たって排出口１８とは反対側に吹き出される風を、排出口１８の側およびその反対側を避けた方向に誘導するように第２の経路１５に配置された風向ガイド６２ａ〜６２ｄとを含む。【選択図】図４
2008032316.tif 000002
【特許請求の範囲】
【請求項１】
冷蔵および／または温蔵する対象物を収納するための収納室と、
その収納室内の温度条件を制御するためのペルチェ素子ユニットと、
前記ペルチェ素子ユニットにより空調された風を前記収納室内に供給するようにアレンジされた第１の経路と、
断熱部材を介して前記第１の経路とは隔ててアレンジされ、前記ペルチェ素子ユニットからの熱を排出口から逃がすための第２の経路であって、断面が扁平の第２の経路と、
前記第２の経路に露出する壁部に向かって垂直な方向に送風するファンユニットと、
このファンユニットからの送風のうち、前記壁部に当たって前記排出口とは反対側に吹き出される風を、前記排出口の側およびその反対側を避けた方向に誘導するように前記第２の経路に配置された風向ガイドとを含む、収納装置。
【請求項２】
請求項１において、前記ペルチェ素子ユニットは、
ペルチェ素子と、
このペルチェ素子と接続されている第１の熱交換壁部と、この第１の熱交換壁部に設けられ、前記第１の経路に露出している第１のフィンとを備える第１のフィンユニットと、
前記第２の経路に沿って広がり、前記ペルチェ素子と接続されている第２の熱交換壁部と、この第２の熱交換壁部に設けられ、前記第２の経路に露出している第２のフィンを備える第２のフィンユニットとを含み、
前記壁部は、前記第２の熱交換壁部である、収納装置。
【請求項３】
請求項１において、前記収納室は、商品を陳列するための陳列室である、収納装置。
【請求項４】
請求項１において、前記風向ガイドは、前記排出口とは反対側に吹き出される風を、断面が扁平な前記第２の経路をトラバースする方向に誘導する、収納装置。
【請求項５】
請求項１において、前記第２の経路をトラバースする方向に、被冷却体が配置されており、前記風向ガイドは、前記排出口とは反対側に吹き出される風が前記被冷却体に接するようにアレンジされている、収納装置。
【請求項６】
請求項５において、前記被冷却体は、当該収納装置の少なくとも一部を制御するための基板である、収納装置。
【請求項７】
請求項１において、ドレンタンクと、前記第２の経路に露出した蒸発部材であって、前記ドレンタンクに溜まったドレンを蒸発させるための蒸発部材とを有し、前記風向ガイドは、前記排出口と反対側に吹き出される風が前記蒸発部材に接するようにアレンジされている、収納装置。
【請求項８】
請求項２において、複数の前記ペルチェ素子ユニットと、複数の前記風向ガイドとが、前記第２の経路をトラバースする方向に並べて配置されており、
互いに隣り合う風向ガイドは、前記排出口とは反対側に吹き出される風を同一の方向に誘導し、誘導される方向に対して内側の風向ガイドが、外側の風向ガイドよりも前記ペルチェ素子ユニットの下端近傍に配置されている、収納装置。
【請求項９】
排出口と連なるように扁平に形成された排熱経路に設けられた排熱用の機構であって、
前記排熱経路に露出するように配置された壁部と、
前記壁部に向かって垂直な方向から送風するファンユニットと、
前記壁部に当たって前記排出口とは反対側に吹き出される風を、前記排出口の側およびその反対側を避けた方向に誘導するように前記排熱経路に配置された風向ガイドとを有する、排熱用の機構。
【発明の詳細な説明】
【技術分野】
【０００１】
本発明は、食料品や飲料などを冷蔵および／または温蔵することができる収納装置に関するものである。
【背景技術】
【０００２】
内部に食料品や、缶、ビンあるいはペットボトルなどに詰められた飲料を陳列あるいは収納する収納装置としては、ペルチェ素子ユニットを含む空調ユニットを備え、この空調ユニットにより、陳列室内を空調するものが知られている。また、特許文献１には、アウトドアー用途や車載用の携帯型の冷温蔵庫として、ペルチェ素子を利用した冷温蔵庫が開示されている。
【特許文献１】特開２００１−２６３８９９号公報
【発明の開示】
【発明が解決しようとする課題】
【０００３】
食料品や飲料を収納するためのスペース（室）を、ペルチェ素子ユニットを用いて空調する収納装置は、コンプレッサを用いて空調する収納装置と比べて、小型化が容易である。このため、ペルチェ素子ユニットを含む空調ユニットは、例えば、コンビニエンスストアなどの棚に設置するのに適当な比較的小型の収納装置を実現する場合に好適である。しかしながら、収納装置の小型化が進むと、空調ユニット（ペルチェ素子ユニット）からの熱を逃がすための排熱経路を十分に広く確保することが難しくなる。そして、排熱経路が狭ければ狭いほど、排熱経路のうちの排出口とは反対側となる領域に熱を含んだ空気が籠もりやすくなる傾向がある。
【課題を解決するための手段】
【０００４】
本発明の一態様は、冷蔵および／または温蔵する対象物を収納するための収納室を有する収納装置である。収納室の一形態は、商品を陳列するための陳列室である。この収納装置は、さらに、収納室内の温度条件を制御するためのペルチェ素子ユニットと、ペルチェ素子ユニットにより空調（例えば温調）された風を収納室内に供給するようにアレンジされた第１の経路と、断熱部材を介して第１の経路とは隔ててアレンジされ、ペルチェ素子ユニットからの熱を排出口から逃がすための第２の経路であって、断面が扁平の第２の経路とを含む。この収納装置は、さらに、第２の経路に露出する壁部に向かって垂直な方向に送風するファンユニットと、ファンユニットからの送風のうち、第２の経路に露出する壁部に当たって排出口とは反対側に吹き出される風を、排出口の側およびその反対側を避けた方向に誘導するように第２の経路に配置されている風向ガイドとを含む。
【０００５】
断面が扁平で全体として薄い形状の第２の経路においては、第２の経路の横断面に沿ってファンユニットを設置することが難しい。ファンユニットを、第２の経路に露出する壁部に向かって垂直な方向に風を生成するように配置することにより、軸流ファンを用いたボックスファンであっても設置面積を確保できる。このアレンジを採用すると、第２の経路に露出する壁部に当たった風は、第２の経路に露出する壁部が広がる方向に四方に拡散され、最終的には、排気口を介して、外界に排出されることにより、ペルチェ素子ユニットの第２のフィンユニットの放熱または吸熱を促進する。ペルチェ素子ユニットにより室内を冷蔵状態にするのであれば、第２の経路は放熱経路となり、ペルチェ素子ユニットから第２の経路を介して放熱され、排気口から温風が放出される。ペルチェ素子ユニットにより室内を温蔵状態にするのであれば、第２の経路は吸熱経路となり、ペルチェ素子ユニットは第２の経路を介して吸熱し、排気口からは冷風が放出される。
【０００６】
ファンユニットからの送風のうち、第２の経路に露出する壁部に当たって、排出口の側に吹き出される風は、第２の経路を通って排気口から外界に排出され易い。一方、第２の経路に露出する壁部に当たって排出口とは反対側に吹き出される風は、ファンユニットから第２の経路に露出する壁部に向かって垂直な方向に吹き出される風に遮られるなどして、第２の経路内に籠りやすくなる傾向がある。この傾向は、断面が扁平で薄く広がった形状の第２の経路において顕著であり、第２の経路内に排気が籠もると、ペルチェ素子ユニットの熱交換効率が低下するので、ペルチェ素子ユニットの性能が劣化する。しかしながら、第２の経路の断面を扁平にして、第２の経路を薄く構成することは、コンパクトな収納装置を実現する上で重要である。
【０００７】
本発明に含まれる収納装置は、ファンユニットからの送風のうち、第２の経路に露出する壁部に当たって排出口とは反対側に吹き出される風を、排出口の側およびその反対側を避けた方向に誘導するように第２の経路に配置された風向ガイドを含んでいる。排出口側は、ファンユニットから第２の経路に露出する壁部に向かって垂直な方向に吹き出される風により、排気の動きが遮られやすい方向である。排出口と反対側は、口がないので風は流れ難く、空気が溜まりやすい方向である。風向ガイドを設けることにより、第２の経路に露出する壁部に当たり、逃げ場をなくしやすく、圧力損失の要因となりやすい風を、排出口の側およびその反対側を避けた方向に誘導し、逃がすことが可能となり、第２の経路内の排出口とは反対側における空気の動きの滞りを抑制できる。
【０００８】
すなわち、本発明の他の態様は、排出口と連なるように扁平に形成された排熱経路に設けられた排熱用の機構である。この排熱用の機構は、排熱経路に露出するように配置された壁部と、壁部に向かって垂直な方向から送風するファンユニットと、壁部に当たって排出口とは反対側に吹き出される風を、排出口の側およびその反対側を避けた方向に誘導するように排熱経路に配置された風向ガイドとを有する。この排熱用の機構によれば、収納装置だけでなく、種々の装置において、薄い排熱経路における排熱経路内の排出口とは反対側の空気の動きの滞りを抑制でき、排熱経路をさらに有効に活用できる。
【０００９】
ペルチェ素子ユニットが、ペルチェ素子と、このペルチェ素子と接続されている第１の熱交換壁部と、この第１の熱交換壁部に設けられ、第１の経路に露出している第１のフィンとを備える第１のフィンユニットと、第２の経路に沿って広がり、ペルチェ素子と接続されている第２の熱交換壁部と、この第２の熱交換壁部に設けられ、第２の経路に露出している第２のフィンを備える第２のフィンユニットとを含む場合、第２の経路に露出する壁部は、第２の熱交換壁部を含む第２のフィンユニットであっても良い。第２の経路に露出する壁部は、ファンユニットからの送風を排出口とは反対側に吹き出させるようなものであり、必ずしも、板状であるとは限らない。
【００１０】
また、排出口の側およびその反対側を避けた方向の一例は、第２の経路を横断する（横切る、トラバースする）方向である。この方向は、断面が扁平な第２の経路における長手方向に相当する。
【００１１】
収納装置において、第２の経路は、他の被冷却体、特にファンを有しない被冷却体、例えば、この収納装置の少なくとも一部を制御するための基板などを配置するのに適している。したがって、第２の経路をトラバースする方向にファンユニットと被冷却体とが並んで配置されている場合、風向ガイドは、排出口とは反対側に吹き出される風が被冷却体に接するようにアレンジすることが好ましい。このように風向ガイドをアレンジすることにより、第２の経路内の排出口とは反対側における空気の滞りを抑制するだけでなく、第２のフィンユニットに当たって排出口とは反対側に吹き出される風により、被冷却体を冷却することができる。
【００１２】
また、ドレンタンクを備えた収納装置において、第２の経路は、自己蒸発用の蒸発部材を配置するのに適した場所である。したがって、収納装置が、ドレンタンクと、第２の経路に露出した蒸発部材であって、ドレンタンクに溜まったドレンを蒸発させるための蒸発部材とをさらに有する場合、風向ガイドは、排出口と反対側に吹き出される風が蒸発部材に接するようにアレンジすることが好ましい。このように風向ガイドをアレンジすることにより、第２の経路内の排出口とは反対側における空気の動きの滞りを抑制するだけでなく、第２のフィンユニットに当たって排出口とは反対側に吹き出される風により、蒸発部材からドレンを良好に蒸発させることができる。
【００１３】
さらに、収納装置において、複数のペルチェ素子ユニットを設ける場合、第２の経路をトラバースする方向にそれらのペルチェ素子ユニットを並べて配置することが望ましい。その場合、さらに、それらのペルチェ素子ユニットのそれぞれに対応するように、複数の排熱用の機構を、第２の経路をトラバースする方向に並べて配置することが好ましい。この場合、互いに隣り合う風向ガイドを、排出口とは反対側に吹き出される風を反対側に誘導するようにアレンジしても良い。また、互いに隣り合う風向ガイドを、排出口とは反対側に吹き出される風を同一の方向に誘導するようにアレンジする場合は、誘導される方向に対して内側の風向ガイドが、外側の風向ガイドよりもペルチェ素子ユニットの下端近傍となるように配置することが好ましい。このように風向ガイドを配置することにより、内側の風向ガイドにより主に風が誘導されるパスの外側に、外側の風向ガイドにより主に風が誘導されるパスを設定できるので、隣り合うペルチェ素子から第２の経路内の排出口とは反対側に吹出される風を滞らせることなく、第２の経路内を流通させ、排出口から外界に排出させることができる。
【００１４】
また、この収納装置においては、風向ガイドは、断熱部材と一体に形成することが好ましい。このようにすることにより、風向ガイドを比較的容易に、所望の位置や形状にアレンジすることができる。断熱部材は、例えば、発泡スチロールなどにより形成することができ、所望の風向ガイドの形状を含むように成形することは容易である。
【発明を実施するための最良の形態】
【００１５】
以下に、図面を参照して本発明の実施形態について詳しく説明する。図１は、本発明の第１の実施形態に係る収納装置の外観を斜視図により示している。図２は、図１の収納装置を分解斜視図により示している。図３は、図１の収納装置を縦断面図により示している。図４は、図１の収納装置が備える排熱処理構造を示している。なお、図４は、一点鎖線Ｌよりも紙面の右側は、ボックスファンよりも後方で切断した状態であって、後方から前方を見た断面図であり、一点鎖線Ｌよりも紙面の左側は、ボックスファンとペルチェ素子ユニットとの間で切断した状態であって、後方から前方を見た断面図である。本例では、陳列装置の横方向（左右方向）をＸ方向、縦方向（高さ方向、上下方向）をＹ方向、奥行き方向をＺ方向として説明する。すなわち、図３は、収納装置のＹ−Ｚ断面図であり、図４は、収納装置のＸ−Ｙ断面図である。
【００１６】
図１に示す本例の収納装置１は、コンビニエンスストアでゴンドラと称される棚（常温で商品が展示される棚）に設置できるサイズおよび重量に形成されている。この収納装置１は、食料品や飲料缶などの商品を冷蔵する冷蔵装置としての機能と、商品を展示するショーケースとしての機能とを兼ね備えている。
【００１７】
この収納装置１は、冷蔵および／または温蔵する対象物（本例では食料品や飲料など）を収納するための収納室（陳列室）１１を含むショーケースユニット１０と、陳列室１１の取出口１２に取り付けられる扉ユニット３０とを有している。
【００１８】
ショーケースユニット１０は、その外観を規定するハウジング２０を有する。ハウジング２０は、具体的には、陳列室１１の上部を覆う透明な天蓋（天井）２１と、天蓋２１の後端に連なる不透明な上壁２２と、陳列室１１の両側壁２３および２４、後壁２５、および下壁２６とを有して、横長に形成されている。透明な天蓋２１は、軽量で、強度があり、断熱性能も高い、中空の二重アクリル構造の壁体が採用されている。透明な天蓋２１は、上壁となる部分２１ａがほぼ平らであって、前側の部分２１ｂが下側に湾曲した形状に形成され、先端２１ｃが取出口１２の上端となっている。ハウジング２０の内部の前方が、横長の陳列室１１となり、後方がペルチェ素子ユニット５０を含む空調室（機械室）４０になっている。陳列室１１の内部には、第１および第２の陳列棚２７および２８が配置されている。第２の陳列棚２８は、陳列室１１の底（床）を兼ねており、ハウジング２０の前方は、その一部が開放されて商品の取出口１２となっている。
【００１９】
扉ユニット３０は、取出口１２に対応する形状に形成されたフレーム部材３１と、フレーム部材３１に対して動くように支持された２つの扉部材３２ａおよび３２ｂとを含み、一体でショーケースユニット１０の取出口１２に着脱されるように組み立てられている。図１に示すように、扉ユニット３０をショーケースユニット１０の取出口１２に取り付けた状態では、扉部材３２ａおよび／または３２ｂをフレーム部材３１に対してスライドさせることにより、取出口１２の一部が開閉される。この場合、この収納装置１は、いわゆるクローズタイプの収納装置のように使用することができる。一方、図２に示すように、一体でショーケースユニット１０の取出口１２から取り外すこともできる。この場合、この収納装置１は、いわゆるオープンタイプの収納装置のように使用することができる。なお、扉ユニット３０が備える扉部材の数は、１つであってもよく、また３つ以上であってもよい。
【００２０】
また、ショーケースユニット１０のハウジング２０の内部には、陳列室１１内に空調された風を供給するようにアレンジされた第１の経路（送風経路、送風スペース、送風ダクト）１３ａおよび１３ｂと、陳列室１１の背面側のダクト１３ｂに対して断熱部材１４ｂにより隔ててアレンジされた第２の経路（排熱ダクト、排熱スペース、排熱経路）１５とが設けられている。
【００２１】
送風経路１３ａおよび１３ｂは、取出口１２にエアーカーテンが形成されるような冷風を、陳列室１１内に供給するようにアレンジされている。陳列室１１の下方に配置された送風経路１３ａは、取出口１２の下端（陳列室１１の前端部の下側）に形成された複数の第１の開口１６から陳列室１１の内部の空気を吸い込むためのものである。陳列室１１の後方に配置された送風経路１３ｂは、陳列室１１の上方後側（陳列室１１の上端部の後側）に形成された複数の第２の開口１７から冷却された空気を吹き出して陳列室１１を冷やすと共に、取出口１２にエアーカーテンを形成するためのものである。上述した透明な天井（屋根）２１は、前側の部分の先端部２１ｃが、取出口１２の上端を構成しており、店舗室内の光を陳列室１１の内部に導いて商品を見やすくするとともに、陳列室１１の上方に設けられた複数の吹出し口１７と取出口１２の間の送風をガイドし、取出口１２にエアーカーテンを形成する機能を果たしている。
【００２２】
送風経路１３ａの下方および送風経路１３ｂの後方は、それぞれ、発泡スチロールからなる断熱部材１４ａおよび１４ｂにより構成（規定）されている。なお、断熱部材１４ａおよび１４ｂは、発泡スチロールに限定されるものではない。収納装置１は、断熱部材１４ｂの後方、すなわち、送風経路１３ｂとは断熱部材１４ｂにより隔てられたハウジング２０の後方に排熱経路１５が設けられている。排熱経路１５は、垂直な面（Ｘ−Ｙ平面）に沿って延びる横長形状のスペースであって、Ｚ方向の幅が比較的小さく、Ｙ方向に垂直な断面が扁平で、ハウジング２０の後方に薄く広がったスペースとなっている。排熱スペース１５の上方は、ショーケースユニット１０のハウジング２０の上壁２２に形成された複数の排出口１８と連なっている。
【００２３】
このショーケースユニット１０においては、ハウジング２０の排熱スペース１５のさらに外側に、排熱スペース１５に外気を吸引するための導入スペース８０が設けられている。この例では、導入スペース８０は、排熱スペース１５に対して後方および下側に広がるスペースとなっており、パーティション８１により排熱スペース１５と隔てられている。導入スペース８０の後方がハウジング２０の後壁２５となり、後壁２５には外気を吸引する開口８２が設けられている。店舗の壁際にショーケースユニット１０を配置し、その後壁２５を店舗の壁などに密着させる場合は、外気を吸引する開口８２を側壁２３、側壁２４、あるいは下壁２６に配置することも可能である。パーティション８１の排熱スペース１５の側には、外気を吸引して排熱スペース１５に吹き出すためのファン（ファンユニット）６１が配置されており、ファン６１が駆動されると、図３に矢印で示したように、導入スペース８０を介して排熱スペース１５に外気が噴出される。
【００２４】
このショーケースユニット１０は、陳列室１１内の温度条件を制御するための複数、本例では４つのペルチェ素子ユニット５０を備えている。ペルチェ素子ユニット５０は、排熱スペース１５をトラバースする方向（横断する方向、長手方向）、すなわち、Ｘ方向に沿って、送風スペース１３ｂと排熱スペース１５とを隔離するための断熱壁１４ｂに支持された状態で、配置されている。ペルチェ素子ユニット５０は、空調、例えば温調（空気の温度調節）するためのものである。本例では、ペルチェ素子ユニット５０は、送風スペース１３ｂを通過する空気（風）の熱を排熱スペース１５に移動させ、送風スペース１３ｂの内部の空気を冷やす。この冷やされた空気は、送風スペース１３ｂの上部に配置されたクロスフローファン４１により、上部の開口１７から冷風として吹き出される。これにより、送風経路１３ａおよび１３ｂの内に、陳列室１１の先端下部の開口（吸込み口）１６から吸い込まれた空気を冷やして陳列室１１の後方上部の開口（吹出し口）１７から吹き出すための冷風の流れが形成される。
【００２５】
図３および図４に示すように、各ペルチェ素子ユニット５０は、それぞれ、ペルチェ素子５１と、第１のフィンユニット５２と、第２のフィンユニット５３とを含んでいる。第１のフィンユニット５２は、ペルチェ素子５１に接続された第１の熱交換壁部５２ａと、この第１の熱交換壁部５２ａに設けられ、送風スペース１３ｂに露出している第１のフィン５２ｂとを備えている。第２のフィンユニット５３は、ペルチェ素子５１に接続され、排熱スペース１５に沿ってＸ−Ｙ平面上に広がるように形成された第２の熱交換壁部５３ａと、この第２の熱交換壁部５３ａに設けられ、排熱スペース１５に露出している第２のフィン５３ｂを備えている。本例では、第１のフィン５２ｂおよび第２のフィン５３ｂは、ピンフィンであり、ペルチェ素子５１により、送風スペース１３ｂの空気の熱を排気スペース１５に移動する効率を高めている。
【００２６】
図４に示すように、排熱スペース１５には、複数のペルチェ素子ユニット５０のそれぞれに対応するように、複数の排熱用の機構（以下、排熱機構という）６０がトラバースする方向（本例では長手方向）Ｘに並べて配置されている。図３に示すように、それぞれの排熱機構６０は、ペルチェ素子ユニット５０に対向し、ペルチェ素子５１の第２のフィンユニット５３に向かい、第２の熱交換壁部５３ａに対して垂直な方向（Ｚ方向前側）から送風するように配置されたボックスファン（ファンユニット）６１と、第２のフィンユニット５３の下側に配置された風向ガイド６２とを備えている。また、図４に示すように、複数の排熱機構６０に含まれるそれぞれの風向ガイド６２ａ〜６２ｄの形状は若干異なっている。したがって、以下においては、それらの風向ガイド６２ａ〜６２ｄに対して共通した説明するときは風向ガイド６２として記述する。
【００２７】
まず、排熱機構６０のボックスファン６１は、軸流タイプのファン６１ａと、ファン６１ａを収納したファンケース６１ｂとを備え、パーティション８１に支持されており、前方に配置された対向するペルチェ素子５１の第２の熱交換壁部５３ａに向かって垂直な方向（Ｚ方向前側）に送風するようにアレンジされている。このアレンジであれば、ファン６１ａは、排熱経路１５に沿って配置できるので、断面が扁平したスリットのような排熱経路であっても、ファン６１ａの設置面積を確保できる。
【００２８】
風向ガイド６２は、ボックスファン６１の下方に配置されており、ボックスファン６１からの送風のうち、第２のフィンユニット５３に当たり、排熱スペース１５を排出口１８とは反対側に吹き出される風を、排出口１８の側である上側およびその反対側である下側を避けた方向に誘導するように、排熱ダクト１５内に配置されている。具体的には、風向ガイド６２は、排出口１８とは反対側に吹き出される風を、排熱ダクト１５を横断する（横切る）長手方向Ｘに誘導あるいは整流するベーンあるいはガイドであり、Ｙ方向下向きに放出された風をＸ方向左向きにガイドするように湾曲した部分６５ａと、それらの風がＸ方向左向きに放出されるようにＸ方向左向きに延びた部分６５ｂとを備えている。これらの風向ガイド６２ａ〜６２ｄは、断熱部材１４ｂに取り付けることが可能であり、さらに、断熱部材１４ｂの後方を風向ガイド６２ａ〜６２ｄとして機能するように成形することも可能である。
【００２９】
本例においては、互いに隣り合う風向ガイド６２ａおよび６２ｂ、６２ｃおよび６２ｄは、排出口１８とは反対側（Ｙ方向下向き）に吹き出される風を同一の方向（Ｘ方向左側）に誘導するようになっている。誘導される方向に対して内側の風向ガイド６２ａおよび６２ｃのＸ方向に延びた部分６５ｂは、外側の風向ガイド６２ｂおよび６２ｄのＸ方向に延びた部分６５ｂよりもペルチェ素子ユニット５０の下端近傍、すなわち、上側に配置されている。したがって、外側の風向ガイド６２ｂおよび６２ｄによりガイドされた排気は、内側の風向ガイド６２ａおよび６２ｃのそれぞれ外側（下側）を通過し、それぞれの排熱機構６０により横方向Ｘに導かれる排気ができるだけ干渉しないようになっている。
【００３０】
図４に示すように、排熱スペース１５の長手方向Ｘの中央部分に、収納装置１の一部の機能あるいは全体の機能を制御するための１または複数の基板７１が配置されている。これら基板７１は発熱体であり、被冷却体として冷却することが望ましい。排熱スペース１５に配置された４つの排熱機構６０の風向ガイドのうち、図４の右側の２つの風向ガイド６２ｃおよび６２ｄは、それぞれ、排出口１８とは反対方向（Ｙ方向下側）に吹き出される風を、長手方向Ｘに向けてガイドし、風が基板７１に接するように（矢印Ａ３およびＡ４参照）アレンジされている。したがって、このような風向ガイド６２ｃおよび６２ｄを設けることにより、排熱ダクト１５内の排出口１８とは反対側（Ｙ方向下側）における空気の滞りを抑制するだけでなく、第２のフィンユニット５３に当たって排出口１８とは反対側に吹き出される風により、基板７１を冷却させながら、この風を排出口１８から排出させることができる。このため、図４に示した、排熱スペース１５の右側においては、排熱機構６０により、第２のフィンユニット５３の放熱効率を向上でき、ペルチェ素子ユニット５０の冷却効率を向上できる。それと共に、風向ガイド６２によりガイドされた風により基板７１の放熱も促進できるので、基板７１を冷却するためのファンなどの強制的な冷却機構（排熱機構）を省くことができる。
【００３１】
さらに、図４に示すように、この収納装置１は、陳列室１１、および送風スペース１３ａおよび１３ｂから排出されるドレンを溜めるドレンタンク７３と、ドレンタンク７３のドレンを自己蒸発させるために蒸発部材７２を備えている。蒸発部材７２は、吸水性の紙あるいは布などにより構成された部材であり、排熱スペース１５の左側に露出しており、排熱スペース１５を通過する空気によりドレンタンク７３に貯えられたドレンを蒸発処理できるようになっている。図４の左側の風向ガイド６２ｂは、排出口１８と反対側（Ｙ方向下向き）に吹き出される風を、蒸発部材７２が配置された、排熱スペース１５の左側に導く。このため、矢印Ａ２に示すように、蒸発部材７２がファンユニット６１からの風に効率よく接し、蒸発が促進される。したがって、図４に示した排熱スペース１５の左側においては、風向ガイド６２ａおよび６２ｂにより、排熱スペース１５の下側における空気の滞りを抑制するため、第２のフィンユニット５３の放熱効率が向上する。それと共に、ガイド６２ｂにより導かれた風により、蒸発紙７２からのドレンの蒸発を促進でき、ドレンを排出口１８から効率よく排出させることができる。
【００３２】
上述のように、本例の収納装置１および排熱機構６０によれば、ボックスファン６１から第２の熱交換壁部５３ａに向かって垂直なＺ方向前側に吹き出され、第２のフィンユニット５３に当たって排出口１８とは反対側であるＹ方向下側に吹き出される風を、風向ガイド６２ａ〜６２ｄによってＸ方向に導くことにより、排熱スペース１５の下側における空気の滞りを抑制できる。この例では、Ｙ方向下向きに吹出された風を風向ガイド６２ａ〜６２ｄによりＸ方向にガイドしている。ガイドする方向はＸ方向には限られず、ボックスファン６１から第２の熱交換壁部５３ａに向かって垂直なＺ方向に吹き出される風に遮られやすい排出口１８の側（Ｙ方向上側）や、空気が溜まりやすい排出口１８の反対側（Ｙ方向下側）を避けた方向に誘導あるいは整流するようなガイドを設けることにより、排熱スペース１５の下側における空気の滞りを抑制でき、フィンユニット５３の放熱効率を向上できる。
【００３３】
本例の収納装置１によれば、風向ガイド６２ａ〜６２ｄにより、第２のフィンユニット５３に当たって排出口１８とは反対側（Ｙ方向下側）に吹き出される風は、排熱スペース１５の長手方向Ｘの左側に誘導され、排熱スペース１５の上下方向が比較的開いた部分を通って上方の排気口１８から外界に排出される。したがって、薄く、扁平した断面の排熱スペース１５の内、ファンやフィンユニットにより占められていない、空いたスペースを排気のために効率よく使用することができる。このため、コンパクトで、冷却能力の高いショーケースユニット１０を備えた収納装置１を提供できる。
【００３４】
さらに、本例の収納装置１によれば、第２のフィンユニット５３に当たって排出口１８とは反対側（Ｙ方向下側）に吹き出される風が、基板７１や蒸発紙７２に接触するように、風向ガイド６２ｂ〜６２ｄがアレンジされている。このため、排熱ダクト１５内の排出口１８とは反対側における空気の滞りを抑制するだけでなく、第２のフィンユニット５３に当たって排出口１８とは反対側に吹き出される風により、基板７１を冷却したり、蒸発紙７２からドレンを良好に蒸発させたりしながら、これらの風を排出口１８から排出させることができる。
【００３５】
また、風向ガイド６２ａ〜６２ｄは、断熱部材１４ａおよび１４ｂと一体に形成されているため、比較的容易に、所望の位置や形状にアレンジすることが可能である。
【００３６】
図５に、本発明の第２の実施形態に係る収納装置を縦断面図により示している。本例のショーケースユニット１０においては、導入スペース８０は、排熱スペース１５に対して下側および前方に広がるスペースとなっており、パーティション８１により排熱スペース１５に対して隔てられている。また、第２のフィンユニット５３およびファン（ファンユニット）６１がパーティション８１の導入スペース８０の側に配置されている。したがって、ファン６１が駆動されると、図５に矢印で示したように、導入スペース８０に外気が吸引され、第２のフィンユニット５３を通過して、ファン６１に吸い込まれ、排熱スペース１５に噴出される。
【００３７】
すなわち、排熱機構６０のボックスファン６１は、前方に配置された対向するペルチェ素子５１の第２のフィンユニット５３側の空気を吸い込み、排熱スペース１５に露出し、排熱スペース１５を形成する後壁２５の内面２５ａに向かって垂直な方向（Ｚ方向前側）に送風するようにアレンジされている。
【００３８】
風向ガイド６２は、排熱スペース１５の下方に配置されており、ボックスファン６１からの送風のうち、後壁２５に当たり、排出口１８とは反対側に吹き出される風を、図４に示した風向ガイド６２と同様、排出口１８の側である上側およびその反対側である下側を避けた方向に誘導する。その結果、誘導された風は、図５に矢印で示したように、排出口１８から外界に排出される。また、図４に示したように、誘導された風を、基板を冷却したり、ドレンを蒸発させるために利用できる。したがって、本例の収納装置においても、ボックスファン６１からの風の吹き出し方向を変化させて、薄く、扁平した断面の排熱スペース１５の空いたスペースを、排気のために効率よく使用することができる。
【００３９】
なお、本発明の排熱用の機構は、排熱が外界の温度よりも高い場合にのみ適用されるものではなく、排熱が外界の温度よりも低い温度の場合であっても適用可能である。したがって、本発明の収納装置は、冷蔵用の収納装置に限定されるものではない。本発明の収納装置によれば、外界に対して高い温度で陳列室を保持するような温蔵用の収納装置などにも用いることができる。
【００４０】
また、第２の経路を設ける位置は、ショーケースユニットの背後に限定されるものではない。第２の経路は、例えば、ショーケースユニットの底に設けてもよい。さらに、排熱用の構造は、商品を陳列する陳列室を有するショーケースだけでなく、食料あるいは飲料を、ペルチェ素子を用いて冷蔵あるいは温蔵するための冷蔵庫、温蔵庫、冷温蔵庫などにも適用可能である。
【図面の簡単な説明】
【００４１】
【図１】本発明の第１の実施形態に係る収納装置の外観を示す斜視図。
【図２】図１の収納装置を示す分解斜視図。
【図３】図１の収納装置を示す縦断面図。
【図４】図１の収納装置が備える排熱処理構造を示す図。
【図５】本発明の第２の実施形態に係る収納装置を示す縦断面図。
【符号の説明】
【００４２】
１    収納装置、  １０    ショーケースユニット、  １１    陳列室（収納室）
１３ａ、１３ｂ    ダクト（第１の経路）、  １４ａ、１４ｂ    断熱部材
１５    排熱ダクト（第２の経路、排熱経路）、  １８    排出口
５０    ペルチェ素子ユニット
５１    ペルチェ素子、  ５２    第１のフィンユニット
５２ａ    第１の熱交換壁部、  ５２ｂ    第１のフィン
５３    第２のフィンユニット、  ５３ａ    第２の熱交換壁部
５３ｂ    第２のフィン、  ６０    排熱機構（排熱用の機構）
６１    ボックスファン（ファンユニット）、  ６１ａ    ファン
６１ｂ    ケース、  ６２（６２ａ〜６２ｄ）    風向ガイド
７１    基板、  ７２    蒸発紙（蒸発部材）
【図１】
2008032316.tif 000003
【図２】
2008032316.tif 000004
【図３】
2008032316.tif 000005
【図４】
2008032316.tif 000006
【図５】
2008032316.tif 000007